(57)【特許請求の範囲】
【請求項１】
競り市場での物品の入出荷方法であって、
入荷部（７）で入力されて物品を種類毎に特定する入荷データに対して主制御部（２）が識別コードを対応させ、この識別コードを規定寸法のＩＤケース（２９）の外表面上に表記し、物品を対応するＩＤケース（２９）に所定数ずつ入れて搬送し、
入荷部（７）から搬出されるＩＤケース（２９）の内の同一入荷データに対応する識別コードのものを検出手段（６７）により検出して、その内の一つを見本用ＩＤケース（２９）として見本展示部（１１）へ搬送し、且つ残りのＩＤケース（２９）を物品保管部（１５）へ搬送してひとまとめにして保管し、
見本展示部（１１）に搬送されてくる見本用のＩＤケース（２９）の識別コードを見本展示部（１１）に配置された検出手段（３６）により検出し、この識別コードに対応する入荷データ内の買付人用情報を表記する見本用ラベル（６９）を該ＩＤケース（２９）に貼付け、所定時間展示した後に競り部（１９）に搬送し、
見本展示部（１１）から搬送されてくるＩＤケース（２９）の識別コードを競り部（１９）に配置された検出手段（３６）により検出し、この識別コードに対応する入荷データ内の競り台に該ＩＤケース（２９）を移動し、競りにより買い付けした買付人のデータを主制御部（２）において対応する入荷データに加えた後に該ＩＤケース（２９）を搬出し、
競り部（１９）での買い付け後の見本用ＩＤケース（２９）の識別コードを保管部（１５）の直前に配置された検出手段（３６）により検出し、該見本用のＩＤケース（２９）と同一入荷データに対応する識別コードを有するＩＤケース（２９）を保管部（１５）から搬出して、所定出荷部（２３）から配送を行うことを特徴とする入出荷方法。
【請求項２】
競り市場での物品の入出荷システムであって、
入荷された物品を種類毎に特定する入荷データに対応する識別コードを外表面上に表記する規定寸法のＩＤケース（２９）と、
ＩＤケース（２９）にその識別コードに対応する物品を所定数ずつ入れる入荷部（７）と、
入荷部（７）から搬出されるＩＤケース（２９）の内の同一入荷データに対応する識別コードのものを検出手段（６７）により検出し、見本用ＩＤケース（２９）とそれ以外の残りのＩＤケース（２９）とに分ける見本仕分部（３４ｆ）と、
見本用ＩＤケース（２９）の識別コードを検出手段（３６）により検出し、この識別コードに対応する入荷データ内の買付人用情報を表記する見本用ラベル（６９）を該見本用ＩＤケース（２９）に貼付け、展示部に所定時間展示する見本展示部（１１）と、
見本展示部（１１）で所定時間展示された後に搬出されるＩＤケース（２９）の識別コードを検出手段（３６）により検出し、この識別コードに対応する入荷データ内に指定された競り台（１７）にＩＤケース（２９）を移動し、競りにより買い付けした買付人のデータを対応する入荷データに加える競り部（１９）と、
見本用以外の残りのＩＤケース（２９）を保管し、競り部（１９）から搬出される見本用ＩＤケース（２９）の識別コードを検出手段（３６）により検出して、該見本用のＩＤケース（２９）と同一入荷データに対応する識別コードを有するＩＤケース（２９）を搬出する保管部（１５）と、
見本用のＩＤケース（２９）とそれと同一入荷データで保管部から搬出されたＩＤケース（２９）とをまとめて、買付人毎に物品を出荷する出荷部（２３）と、
を有することを特徴とする入出荷システム。
【発明の詳細な説明】
【０００１】
【発明の属する技術分野】
本発明は、物品（例えば鉢植えの競り市場）における入出荷作業の自動化を実現する物品の入出荷方法及びシステムに関するものである。
【０００２】
【従来の技術】
物品を競売する市場（例えば鉢植え植物の市場等）には、一般に、荷主（生産者）から入荷を受け付ける受付カウンタ、荷主が入荷する物品を受け取る入荷部、入荷した物品の見本を陳列する見本展示部、入荷した物品の内の見本として見本展示部に送られるもの以外を保管する保管部、見本を競り台上において、入荷した物品の競売を実施する競り部、競り落とされた物品を買い主に出荷可能に整列集荷する出荷部等が設置されている。
【０００３】
そして、大量の入出荷を効率良く処理できるようにするために、各部における設備の改善が研究されている。
例えば、入荷部には荷主が入荷する物品を受け取る入荷バースを複数基装備し、あるいは、出荷部には競り落とされた物品を買い主に出荷可能に整列集荷する出荷用シュートを複数基装備し、保管部や見本展示部における棚の配列を工夫し、更には、市場内の各部間において物品を移動させる搬送手段の改善等が研究され、市場内での入庫処理の自動化や、出庫処理の自動化等も研究されるようになってきている。
【０００４】
【発明が解決しようとする課題】
ところで、物品を競売する市場において、入荷から出荷までに必要な作業としては、荷主からの入荷を受け付ける受け付け作業、入荷した物品を見本展示部や保管部に振り分けて保管する入庫処理作業、見本展示部に保管されている物品を順に競り部に移す競り部搬入処理作業、競売によって買い主が決った物品を競り部や見本展示部や保管部等の各部所から出荷部に集荷する出庫処理作業などが挙げられるが、従来の市場の場合は、上述した各種処理作業の内の一部しか自動化されておらず、処理作業のために、多数の作業員が必要となるという問題があった。
また、市場内での上述の各処理作業の際には、誤って出荷されないように、照合作業等が適時に必要となるが、このような照合作業を人手に頼ると、多大に労力が必要となるばかりか、作業員の疲労等に起因して照合ミス等の不都合が発生する虞があり、処理効率の向上が困難になるという問題があった。
【０００５】
そこで、本発明の目的は上記課題を解消することにあり、物品を競売する市場における一連の処理作業の大半を自動化することができ、それぞれの作業に携わる作業員の人数を大幅に減らして省力化を実現すると同時に、入出荷処理作業の処理効率を向上させることのできる物品の入出荷方法及び装置を提供することである。
【０００６】
【課題を解決するための手段】
本発明の上記目的は、競り市場での物品の入出荷方法であって、
入荷部で入力されて物品を種類毎に特定する入荷データに対して主制御部が識別コードを対応させ、この識別コードを規定寸法のＩＤケースの外表面上に表記し、物品を対応するＩＤケースに所定数ずつ入れて搬送し、
入荷部から搬出されるＩＤケースの内の同一入荷データに対応する識別コードのものを検出手段により検出して、その内の一つを見本用ＩＤケースとして見本展示部へ搬送し、且つ残りのＩＤケースを物品保管部へ搬送してひとまとめにして保管し、
見本展示部に搬送されてくる見本用のＩＤケースの識別コードを見本展示部に配置された検出手段により検出し、この識別コードに対応する入荷データ内の買付人用情報を表記する見本用ラベルを該ＩＤケースに貼付け、所定時間展示した後に競り部に搬送し、
見本展示部から搬送されてくるＩＤケースの識別コードを競り部に配置された検出手段により検出し、この識別コードに対応する入荷データ内の競り台に該ＩＤケースを移動し、競りにより買い付けした買付人のデータを主制御部において対応する入荷データに加えた後に該ＩＤケースを搬出し、
競り部での買い付け後の見本用ＩＤケースの識別コードを保管部の直前に配置された検出手段により検出し、該見本用のＩＤケースと同一入荷データに対応する識別コードを有するＩＤケースを保管部から搬出して、所定出荷部から配送を行う入出荷方法によって達成される。
【０００７】
上記の入出荷方法を実行するシステムとしては、
入荷された物品を種類毎に特定する入荷データに対応する識別コードを外表面上に表記する規定寸法のＩＤケースと、
ＩＤケースにその識別コードに対応する物品を所定数ずつ入れる入荷部と、
入荷部から搬出されるＩＤケースの内の同一入荷データに対応する識別コードのものを検出手段により検出し、見本用ＩＤケースとそれ以外の残りのＩＤケースとに分ける見本仕分部と、
見本用ＩＤケースの識別コードを検出手段により検出し、この識別コードに対応する入荷データ内の買付人用情報を表記する見本用ラベルを該見本用ＩＤケースに貼付け、展示部に所定時間展示する見本展示部と、
見本展示部で所定時間展示された後に搬出されるＩＤケースの識別コードを検出手段により検出し、この識別コードに対応する入荷データ内に指定された競り台にＩＤケースを移動し、競りにより買い付けした買付人のデータを対応する入荷データに加える競り部と、
見本用以外の残りのＩＤケースを保管し、競り部から搬出される見本用ＩＤケースの識別コードを検出手段により検出して、該見本用のＩＤケースと同一入荷データに対応する識別コードを有するＩＤケースを搬出する保管部と、
見本用のＩＤケースとそれと同一入荷データで保管部から搬出されたＩＤケースとをまとめて、買付人毎に物品を出荷する出荷部と、
を有する構成とすることができる。
【０００８】
また、上記の方法及びシステムを実現するにあたり、物品を入荷する時点で物品の登録のために次の工程を行うことができる。
これは、入荷時に受付カウンタにおいて、入荷データ（含：荷主コード、品番、サイズ、ケース数、個数／ケース等）が主制御部の記憶領域に登録される。更に、この入荷データを表記しているラベルが発行される。次に、入荷部ではこの入荷データを表記している入荷データ表示物（ラベル、カード等）を検出手段（例えば、バーコードスキャナ、磁気ヘッド等）によって読み取り、汎用されている規定寸法のＩＤケースに予め付されている識別コードと対応させる。
これ以降は、上述のようにＩＤケースの表記された識別コードをもとに各部の制御が行われ、必要に応じて入荷データの一部又は全部が引き出され、又は新たなデータが追加される。
【０００９】
本発明の上記構成によれば、荷主は、最初に受付カウンタに行って入荷データを主制御手段に入力する入荷受け付けを済ませて、取り引きされる物品の１アイテム（単一種類、入荷単位等）毎に発行された入荷データ表示物（ラベル、カード等）と、物品を搬入する入荷バースが指示された接車指示チケットとを受け取る。
その後、荷主は、接車指示チケットに指示された入荷バースに行き、先に受け取った入荷データ表示物のデータを入荷バースに配備されている端末装置（例えば、磁気カード入力やバーコードスキャナによる読み取り等）で入力し、識別コードが表記されたＩＤケースに１アイテムの物品を入れることで、物品の入荷を開始する。そして、通常、物品は多数入荷するので、複数のＩＤケースに１アイテムの物を分けなければならない。
【００１０】
このような入荷バースからの入荷が開始されると、入荷バースの搬送手段上に送り出されたＩＤケースの全ての識別コードが、当該搬送手段上に装備されたデータ読取装置（例えば、バーコードスキャナ）によって主制御手段に通知され、主制御手段は先に入力されている１アイテム毎の入荷データに対応させ、１アイテム毎に入荷データ表示物に記述された入荷データとその入荷に使用されたＩＤケースの全ての識別コードとをリンクさせる。
【００１１】
以後、主制御手段は、各アイテム毎に入荷データ表示物のデータとＩＤケースの識別コードとをリンクさせて管理し、該主制御手段からの指示で市場内の搬送手段の動作を制御する制御手段を介して、市場内での物品の搬送処理や保管処理等をＩＤケース単位で管理させることが可能になる。
【００１２】
つまり、見本仕分部では、１アイテムに使用される複数個のＩＤケースの内、例えば先頭のＩＤケースを見本品として扱うことを予め処理プログラムに設定しておくだけで、入荷バースからＩＤケースにより搬入される物品の内の見本品用ＩＤケースのみが抜き取られて見本展示部における見本棚に移される。
【００１３】
見本展示部では、入荷データ内の買付人用情報（含：荷主名、品番、個数等）をＩＤケースの識別コードに対応させて読み出し、買付人が読めるように買付人用情報を表記した見本用ラベルを見本用ＩＤケースに貼付け、展示部に所定時間展示する。
【００１４】
このように見本用ＩＤケースは、所定時間展示された後、競り部に搬送されて買い付けられるが、その際、買い主のデータが見本用ＩＤケースの識別コードを基に入荷データに加えられる。
【００１５】
そして、競り部から搬出される買い付け後の見本用ＩＤケースと見本仕分部で分けられた残りのＩＤケースとに対して、保管部の保管棚で同一入荷データに含まれる識別コードを有するＩＤケースがまとめられて保管される。
更に、買い主が決った物品を保管棚から所定の出荷用シュートに集荷する出庫処理などの処理がＩＤケースの識別コードを基に自動制御させられることになる。
【００１６】
【発明の実施の形態】
以下、図示実施形態により、本発明を説明する。
図１乃至図１０は本発明に係る物品（以下、鉢植え植物について述べる）の入出荷方法を実現する入出荷システムの一実施形態を示したもので、図１は本発明の一実施形態の鉢植え植物の入出荷システム１の全体構成図、図２は入出荷システム１に使用した主制御手段（以後、ホストコンピュータとする）２と該ホストコンピュータにアクセス可能な端末の配備を示したコンピュータシステム図である。
【００１７】
入出荷システム１は、図１に示すように、荷主から入荷を受け付ける受付カウンタ４と、荷主が入荷する鉢植え植物を受け取る６基の入荷バース６ａ〜６ｆが装備された入荷部７と、入荷した鉢植え植物の中から見本のみを取り出す見本仕分部８と、見本を陳列・保管する見本棚９が複数列・複数段に装備された見本展示部１１と、入荷した鉢植え植物の内の見本として見本展示部１１に送られるもの以外を保管する保管棚１３が複数列・複数段に装備された保管部１５と、入荷した鉢植え植物の見本を展示する４基の競り台１７ａ〜１７ｄを有して入荷した鉢植え植物の競売が実施される競り部１９と、競り落とされた鉢植え植物を買い主に出荷可能に整列集荷する多数基（この例では、１１５基）の出荷用シュート２１を装備した出荷部２３と、以上の入荷部７や見本展示部１１や保管部１５や競り部１９や出荷部２３などの各部間での鉢植え植物の移動を行う搬送手段２５とを具備する市場において、市場内での鉢植え植物の移動処理や保管処理を自動制御するものである。
【００１８】
更に、当該市場内での入出荷に拘わる情報を集中管理して、鉢植え植物の移動管理や在庫管理等を行うホストコンピュータ２があり、入荷した鉢植え植物を収容する規定寸法の収容容器（ＩＤケース）を利用して市場内の鉢植え植物の移動等を行っている。
ＩＤケース２９には鉢植えが複数個収容できるようになっており、更にその外表面上に識別コードが表記されて、市場内の鉢植え植物の移動等の制御に利用される。そして、入荷部７の各入荷バース６ａ〜６ｆには、ホストコンピュータ２へ搬入開始時データの入力が可能な端末装置３１，３２ａ〜３２ｌが配置されている。更に、ＩＤケース２９を各入荷バース６ａ〜６ｆから市場内の各部に移動させるための搬送手段２５と、この搬送手段２５上の各部の適所に装備され、ＩＤケース２９上の識別コードを読み取ってホストコンピュータ２に通知する読取装置３６とが備えられている。そして、読取装置３６とホストコンピュータ２とからのデータに基づき、この搬送手段２５による各部での搬送等を制御する各部の制御コンピュータ３４ａ〜３４ｇが配置されている。また、受付カウンタ４や競り部１９等には、ホストコンピュータ２に対してデータの入出力可能な端末装置３１，３２ａ〜３２ｌが配置され、市場事務所３７には、ホストコンピュータ２から送られる入出荷状況の表示やデータの入出力可能な物流管理コンピュータ３８および物流管理用のデータを置いた物流サーバ３９が配置されている。
【００１９】
以上の端末装置３１，３２ａ〜３２ｌや、制御コンピュータ３４ａ〜３４ｇや、読取装置３６や、物流管理コンピュータ３８および物流サーバ３９は、いずれも、図２に示すように、ＬＡＮ４１によってホストコンピュータ２に接続されていて、ホストコンピュータ２へのデータの送受信が可能にされている。
【００２０】
上記構成において、受付カウンタ４での入荷の受け付けの際には、入荷した鉢植え植物を特定する入荷データとして、該受付カウンタ４に配備されている端末装置（接車指示コンピュータ）３１により、入荷する荷主の識別コードである荷主コードや、品番、入荷した鉢植え植物の品名、保管に必要な規定寸法のＩＤケース２９の数量を示すケース数、一つのＩＤケース２９に入れる鉢植え植物の数量を示す入数、入荷した鉢植え植物の丈を示すサイズ、市場内での保管棚１３を決定するための区分分けに従った荷高区分等の諸データを入力して、入荷した鉢植え植物をホストコンピュータ２に登録する。
【００２１】
一方、ホストコンピュータ２には、端末装置３１から入力された入荷データに基づいて、その入荷データの鉢植え植物群を保管するに適当な保管棚１３の位置を決定させると同時に、決定した保管棚１３に鉢植え植物を入庫させるための入荷バース６ａ〜６ｆを決定させ、ホストコンピュータ２の決定に基づいて、荷主が鉢植え植物を搬入する入荷バース６ａ〜６ｆを指示した接車指示チケット４４（図４参照）を発行すると共に、入荷データに基づく管理データ（アイテムデータ）を記述した入荷ラベル４６（図５参照）を１アイテム単位で発行する。
【００２２】
ここで、入荷バース６ａ〜６ｆ決定に当たって、保管棚１３における収容位置が関係してくる。まず、図３に示すように保管棚１３の構成として、ＩＤケース２９を載置・保管するレーン４８が水平に複数列に並んでフロアー４９を構成し、更に、このフロアー４９が上下方向に７段に設けた多段・多列の棚となっている。端末装置３１からの入荷データの入力に対してホストコンピュータ２が行う保管棚１３の決定とは、その入荷の鉢植え植物を収容するＩＤケース２９を保管するレーン４８を何段の何列目のレーンにするか決定するものである。
また、入荷部７に装備された各入荷バース６ａ〜６ｆは、それぞれ、保管部１５の入庫先のレーンが割り当てられている。従って、保管するレーンを決定すると、そのレーンの番号から、接車すべき入荷バース６ａ〜６ｆが決定される。
【００２３】
接車指示チケット４４は、図４に示すように、荷下ろしする入荷バースを特定する番号データ４４ａと、荷主コードデータ４４ｂとを記載したものである。
また、入荷ラベル４６は、図５に示すように、受付カウンタ４の端末装置３１で入力した入荷データを１アイテム毎に記述したもので、図示のように、入荷する荷主コードを示すデータ４６ａや、品番４６ｂ、入荷した鉢植え植物の品名４６ｃ、保管に必要な規定寸法のＩＤケース２９の数量を示すケース数４６ｄ、一つのＩＤケース２９に入れる鉢植え植物の数量を示す入数４６ｅ、入荷した鉢植え植物の丈を示すサイズ４６ｆ、市場内での保管棚１３を決定するための区分分けに従った荷高区分４６ｇ、荷受番号４６ｈ、以上の各データを機械読み取りし易いようにバーコード表示したバーコード部４６ｉが記述されている。
【００２４】
そして、図６に示すように、接車指示チケット４４による指示先の入荷バース６ａ〜６ｆでは、該入荷バース６ａ〜６ｆに配備されている端末装置３２ａ〜３２ｌに装備されたバーコードスキャナ（ハンディスキャナ）３３で入荷ラベル４６のバーコード部４６ｉを読み取らせることによって、取引の１アイテム毎に入庫の開始をホストコンピュータ２に通知した後に、搬入車両２８から入荷バースへの実際の搬入作業を開始する。
スキャナ３３でバーコード部４６ｉを読み取らせて、入庫の開始をホストコンピュータ２に通知すると、ホストコンピュータ２は後述の空ケース供給ライン２５ａを使って、空のＩＤケース２９を該当の入荷バースに届ける。
【００２５】
各入荷バース６ａ〜６ｆのライン２５ｊとライン２５ｋとの分岐部の手前には、これらの入荷バース６ａ〜６ｆから搬送されるＩＤケース２９の識別コードを読み取って、ホストコンピュータ２に通知する読取装置３６が装備されている。この読取装置３６は、この一実施形態の場合は、搬送ラインの側部に固定設置されたバーコードスキャナが使用されている。
【００２６】
ＩＤケース２９の識別コードが引き込み搬送ライン２５ｈの読取装置３６から通知されると、以後、ホストコンピュータ２は、取引の１アイテム毎に、入荷ラベル４６の情報とＩＤケース２９の識別コードとをリンクさせて管理する。
そして、該ホストコンピュータ２が、市場内の搬送手段２５の動作を制御するための信号を各制御コンピュータ３４ａ〜３４ｇに出して、市場内での鉢植え植物の移動処理や保管処理をＩＤケース２９単位で実施する。
【００２７】
ここで、ＩＤケース２９を搬送する搬送手段２５は、図１に示すように、空ケース供給ライン２５ａの他、入荷部７と保管部１５との間を循環するループ状の保管品搬送ライン２５ｂ、見本の鉢植え植物の入ったＩＤケース２９を見本展示部１１に移す為の見本品搬送ライン２５ｃ、見本展示部１１に保管されているＩＤケース２９を競り部１９の所定の競り台１７ａ〜１７ｄに移す競り部搬送ライン２５ｄ、競り部１９から保管品搬送ライン２５ｂ上にＩＤケース２９を戻す復帰搬送ライン２５ｅ、保管品搬送ライン２５ｂから分岐してＩＤケース２９を出荷部２３の出荷用シュート２１に運ぶ出荷搬送ライン２５ｆ、保管品搬送ライン２５ｂと出荷搬送ライン２５ｆとの分岐部に装備されて出荷先の出荷用シュート２１を選択可能な仕分けソータ２５ｇ、各入荷バース６ａ〜６ｆを前述の各搬送ライン２５ａ，２５ｂ，２５ｃに連絡する引き込み搬送ライン２５ｈなど複数個の搬送手段によって構成されている。
【００２８】
また、保管品搬送ライン２５ｂ上には、ホストコンピュータ２からの指示に従って保管品搬送ライン２５ｂ上のＩＤケース２９を保管棚１３の指定のレーン４８に収容する入庫トラバーサ５０と、ホストコンピュータ２からの指示に従って指定のレーン４８上のＩＤケース２９を保管品搬送ライン２５ｂ上に移す出庫トラバーサ５１とが装備されている。
【００２９】
図６に示すように、入荷バースのＩＤケース２９を保管品搬送ライン２５ｂ又は見本品搬送ライン２５ｃに流す引き込み搬送ライン２５ｈは、途中で分岐して、保管品搬送ライン２５ｂに合流するライン２５ｊと見本品搬送ライン２５ｃに合流するライン２５ｋとに分れる。
そして、ライン２５ｊとライン２５ｋとの分岐部の手前には、ＩＤケース２９を止めて、見本展示部１１に搬送されるＩＤケース２９が先に入荷ラベル４６に示した荷高区分を越えていないかどうかチェックするための、荷姿センサー５３とストッパ５４とが装備され、また、分岐部を過ぎたライン２５ｊ上には、保管棚１３に搬送されるＩＤケース２９が先に入荷ラベル４６に示した荷高区分を越えていないかどうかチェックするための、荷姿センサー５５とストッパ５６とが装備されている。
【００３０】
そして、これらの荷高区分のチェックでは、荷高区分を越えていることが荷姿センサー５３，５５によって検出された場合に、その旨をホストコンピュータ２に通知すると共に、警告灯５８の点灯によって作業員に知らせて、荷の積み替え、あるいは、入荷バースの端末装置を使って、ホストコンピュータ２に登録したデータの修正を実施させる。
【００３１】
次に、本発明の入出荷システムの制御について以下に述べる。
ホストコンピュータ２が制御コンピュータ３４ａ〜３４ｇを介して行う処理動作は、見本仕分部８及び見本展示部１１の場合、入荷バース６ａ〜６ｆに搬入された鉢植え植物を見本品とそうでない物とに分別して見本品を見本棚９に移す。そして、見本品以外のものは先にホストコンピュータ２が決定した保管棚１３に移して保管する入庫処理や、見本棚９に保管されている鉢植え植物を順に競り台１７ａ〜１７ｄに送る競り部搬入処理や、競売によって買い主が決った鉢植え植物を競り台１７ａ〜１７ｄや見本棚９や保管棚１３から所定の出荷用シュート２１に集荷する出庫処理などである。
【００３２】
入庫処理の場合では、１アイテム分に使用される複数個のＩＤケース２９の内、最初に引き込み搬送ライン２５ｈの読取装置３６で識別コードが読み取りされたＩＤケース２９を見本として見なし、その１ケース分は引き込み搬送ライン２５ｈから見本品搬送ライン２５ｃを経て見本展示部１１に送られ、その他のケースは引き込み搬送ライン２５ｈから保管品搬送ライン２５ｂを介して保管棚１３に送られるように、搬送手段２５の各部の動作が自動制御される。
【００３３】
各入荷バース６ａ〜６ｆから延びる見本品搬送ライン２５ｃは、途中までは中鉢品を収容したＩＤケース２９の搬送ラインとしても利用される。そのため、搬送手段２５の途中から、中鉢用搬送ライン２５ｍが分岐している。
各入荷バース６ａ〜６ｆから見本品搬送ライン２５ｃに送り出されたＩＤケース２９は、該見本品搬送ライン２５ｃから中鉢用搬送ライン２５ｍが分岐する分岐点の手前に配置されたスキャナ６７で識別コードが確認され、該スキャナ６７が接続されている制御コンピュータ３４ｆによる搬送ライン切替によって、中鉢用搬送ライン２５ｍに誤送されることが防止される。
【００３４】
入荷バース６ａ〜６ｆにおける搬入の際、１アイテム分の全てのＩＤケース２９を引き込み搬送ライン２５ｈに出し終わったら、作業者は端末装置３２ａ〜３２ｌに装備されているアイテム完了釦７１ａを押下して、１アイテム分の作業の終了をホストコンピュータ２に通知する。
続いて処理する別のアイテムがある場合には、再び、入荷ラベル４６をスキャナ３３に読み込ませて、同様の荷下ろし作業を繰り返す。
そして、全てのアイテムが完了したら、作業者は、端末装置３２ａ〜３２ｌに装備されている作業完了釦７１ｂを押下して、同一荷主による全ての搬入作業が完了したことをホストコンピュータ２に通知する。
【００３５】
見本品搬送ライン２５ｃを進むＩＤケース２９は、その搬送ラインの途中に装備された制御コンピュータ３４ｇに接続されたスキャナ３６で識別コードが確認された上で、該制御コンピュータ３４ｇによって動作制御されるオートラベラ（ラベル発行・貼付装置）６８によって見本ラベル６９が貼付される。
見本展示部１１における見本棚９の保管エリアは、図１および図７に示すように、保管品搬送ライン２５ｂ寄りの位置から順に、苗物見本を保管しておく苗物保管エリア６１、小鉢見本を保管しておく小鉢見本保管エリア６２、中鉢見本を保管しておく中鉢見本保管エリア６３の３つの保管エリアに区分かれている。そして、識別コードが確認されたＩＤケース２９は制御コンピュータ３４ｇによって各見本保管エリアに分けられる。
【００３６】
ここで、苗物および小鉢の保管エリア６１，６２は、ＩＤケース２９を載せるレーン６５が、多段・多列に装備された構成をなし、保管棚１３における保管段に応じて保管する列が設定される構成とすることができる。
例えば、小鉢見本保管エリア６２の場合、レーン６５が５列に設けられているが、第１列の各レーン６５は保管棚１３の２段目の各レーン４８に保管されるアイテムの見本の保管用であり、第２列の各レーン６５は保管棚１３の３段目の各レーン４８に保管されるアイテムの見本の保管用であり、第３列の各レーン６５は保管棚１３の４段目の各レーン４８に保管されるアイテムの見本の保管用とするような対応をさせることができる。
このように、保管棚１３における保管位置と関連付けて保管位置を設定して置くことにより、管理が明解になる。
【００３７】
上記オートラベラ６８は、見本品搬送ライン２５ｃ上を搬送されてくるＩＤケース２９の両外側面に、見本ラベル６９を張るわけであるが、この見本ラベル６９は、見本展示部１１における展示の際に、その商品の入荷数量や荷主等の情報を買付け人に対して明らかにするためのものである。図８に示すように、ホストコンピュータ２が管理するリンクデータに基づいて、荷主コード４６ａ、荷受番号４６ｈ、品番４６ｂ、品名４６ｃ、ケース数４６ｄ、サイズ４６ｆ、荷高区分４６ｇ、競り台番号６９ａ、１ケース当たりに収容された鉢の数量である入数４６ｅ、競り台番号を記述したバーコード６９ｂなどの諸データが記述される。
この見本ラベル６９に記述される競り台番号は、予め荷主コード４６ａに応じて設定されたものである。
【００３８】
競り部１９では、競り台１７ａ〜１７ｄの前方に買付け人席７３が装備されている。
そして、競り部搬送ライン２５ｄによって見本棚９から競り部１９に運ばれた見本品のＩＤケース２９は、図９に示すように、競り部搬送ライン２５ｄに装備された読取装置（スキャナ）３６によって見本ラベル６９上に表示されたバーコード６９ｂが読み取られて、搬入する競り台が確認され、指定の競り台で競売にかけられた後、出荷に備えて、復帰搬送ライン２５ｅ，保管品搬送ライン２５ｂを経て、指定の出荷用シュート２１に集荷されることになる。
【００３９】
入荷バース６ａ〜６ｆに搬入された鉢植え植物の内、見本以外は、引き込み搬送ライン２５ｈから保管品搬送ライン２５ｂに送り出され、搬送手段２５上で保管部１５の近くに配備された読取装置（スキャナ）３６によってケースの識別コードの確認がなされ、その確認結果に基づいて、入庫制御用の制御コンピュータ３４ａが入庫トラバーサ５０の動作を制御して、保管棚１３の所定のレーン４８に収容させる。
どの識別コードのＩＤケース２９を、どのレーン４８に収納するかは、ホストコンピュータ２から制御コンピュータ３４ａに指示されている。
ホストコンピュータ２は、一つのアイテムのＩＤケース２９が、同一のレーン４８に並ぶように配慮して、レーン番号の小さな空きレーンから順に棚が埋まってゆくように、収容するレーンを決定している。
【００４０】
競り部１９における競売では、競り落とした買い主の識別コード（買い主コード）等がホストコンピュータ２に通知され、ホストコンピュータ２は買い主コードに対する出荷部２３のシュート割り付けを行って、どの識別コードを持つＩＤケース２９をどの出荷用シュート２１に送出するかを、仕分けソータ２５ｇを制御する制御コンピュータ３４ｂや出荷仕分け用の制御コンピュータ３４ｃに通知する。
そして、競り部１９から搬送される見本品のＩＤケース２９の識別コードを搬送手段２５上で保管部１５の近くに配備された読取装置（スキャナ）３６で読み取り、この識別コードから読みだされる同一の買取人に出荷するＩＤケース２９を保管部１５から引き出して仕分けソータ２５ｇに送る。出荷搬送ライン２５ｆに配備した出荷仕分け用の制御コンピュータ３４ｃによって、同一買取人向けの見本品とその他のＩＤケース２９をまとめて所定の出荷用シュート２１に集荷させる。
【００４１】
以上のように、一実施形態の入出荷システム１によれば、荷主は、最初に受付カウンタ４に行って入荷データをホストコンピュータ２に入力する入荷受け付けを済ませて、取り引きする１アイテム毎に発行された入荷ラベル４６と、鉢植え植物を搬入する入荷バースが指示された接車指示チケット４４とを受け取る。
その後、荷主は、接車指示チケット４４に指示された入荷バース６ａ〜６ｆに行って、先に受け取った入荷ラベル４６の記述を入荷バース６ａ〜６ｆに配備されている端末装置３１，３２ａ〜３２ｌに読み取らせることによって、取引の１アイテム毎に入庫の開始をホストコンピュータ２に通知してから、ＩＤケース２９に入れた鉢植え植物の入庫を開始する。
【００４２】
入荷バース６ａ〜６ｆからの入庫が開始されると、ホストコンピュータ２は、入荷バース６ａ〜６ｆに引き込まれている引き込み搬送ライン２５ｈ上に送り出されたＩＤケース２９の識別コードが、当該引き込み搬送ライン２５ｈ上に装備された読取装置３６によってホストコンピュータ２に通知され、ホストコンピュータ２は先に入力されている１アイテム毎の入荷データに照して、１アイテム毎に入荷ラベル４６に記述された入荷データとその入荷に使用されたＩＤケース２９の識別コードとをリンクさせ、その入荷に使用された全ＩＤケース２９を特定する。
【００４３】
以後、ホストコンピュータ２は、取引の１アイテム毎に、入荷ラベル４６の情報とＩＤケース２９の識別コードとをリンクさせて管理し、該ホストコンピュータ２からの指示で市場内の搬送手段２５の動作を制御する制御コンピュータ３４ａ〜３４ｇを介して、市場内での鉢植え植物の移動処理や保管処理をＩＤケース２９単位で管理させることが可能になる。
そして、一実施形態で示したように、１アイテムに使用される複数個のＩＤケース２９の内、先頭のＩＤケース２９を見本品として扱うこと等を予めホストコンピュータ２内の処理プログラムに設定しておくことで、搬送手段２５の動作を制御する制御コンピュータ３４ａ〜３４ｇを介して、入荷バース６ａ〜６ｆに搬入された鉢植え植物を見本品とそうでない物とに分別して見本品を見本棚９に移すと共に見本品以外のものはホストコンピュータ２の決定した保管棚１３に移して保管する入庫処理や、見本棚９に保管されている鉢植え植物を順に競り台１７ａ〜１７ｄに送る競り部搬入処理や、競売によって買い主が決った鉢植え植物を競り台１７ａ〜１７ｄや見本棚９や保管棚１３から所定の出荷用シュート２１に集荷する出庫処理などの各処理を自動制御させることが可能になる。
【００４４】
従って、最初に受付カウンタ４で入荷データの入力を済ませれば、後は、人手によるデータ入力が極めて少なく、また、入出庫作業時に作業員が入荷データと原物とを照合させる作業等が不要になり、鉢植え植物を競売する市場における一連の処理作業の大半を自動化することができ、それぞれの作業に携わる作業員の人数を大幅に減らして省力化を実現すると同時に、入出荷処理作業の処理効率を向上させることができる。
【００４５】
【発明の効果】
本発明によれば、受付カウンタで、入荷物の各種データを表記している入荷ラベルと、鉢植え植物を搬入する入荷バースが指示された接車指示チケットとが発行される。その後、入荷バースでは鉢植え植物をＩＤケースに入れて入庫を開始し、ＩＤケースの識別コードがホストコンピュータに先に入力されている１アイテム毎の入荷データとの対応を図られる。以後は、１アイテムに使用される複数個のＩＤケースの内、先頭のＩＤケースを見本品として扱うこと等を予めホストコンピュータ内の処理プログラムに設定しておくことで、入荷バースに搬入された鉢植え植物を見本品とそうでない物とに分別して見本品を見本棚に移す処理や、見本品以外のものはホストコンピュータの決定した保管棚に移して保管する入庫処理や、見本棚に保管されている鉢植え植物を順に競り台に送る競り部搬入処理や、競売によって買い主が決った鉢植え植物を競り台や見本棚や保管棚から所定の出荷用シュートに集荷する出庫処理などの各処理を自動制御させることが可能になる。
従って、最初に受付カウンタで入荷データの入力を済ませれば、後は、人手によるデータ入力が極めて少なく、また、入出庫作業時に作業員が入荷データと原物とを照合させる作業等が不要になり、鉢植え植物を競売する市場における一連の処理作業の大半を自動化することができ、それぞれの作業に携わる作業員の人数を大幅に減らして省力化を実現すると同時に、入出荷処理作業の処理効率を向上させることができる。
【図面の簡単な説明】
【図１】本発明の一実施形態の鉢植え植物の入出荷システムの概略構成図である。
【図２】本発明の一実施形態の鉢植え植物の入出荷システムに使用したホストコンピュータと該ホストコンピュータにアクセス可能な端末の配備を示したコンピュータシステム図である。
【図３】本発明の一実施形態の鉢植え植物の入出荷システムにおける保管棚の構成を示す拡大図である。
【図４】本発明の一実施形態の鉢植え植物の入出荷システムで使用する接車指示チケットの構成説明図である。
【図５】本発明の一実施形態の鉢植え植物の入出荷システムで使用する入荷ラベルの構成説明図である。
【図６】本発明の一実施形態の鉢植え植物の入出荷システムにおける入荷バースの拡大図である。
【図７】本発明の一実施形態の鉢植え植物の入出荷システムにおける見本棚の拡大図である。
【図８】本発明の一実施形態の鉢植え植物の入出荷システムで使用する見本ラベルの構成説明図である。
【図９】本発明の一実施形態の鉢植え植物の入出荷システムにおける競り部の拡大図である。
【符号の説明】
１  入出荷システム
２  ホストコンピュータ
４  受付カウンタ
６ａ〜６ｆ  入荷バース
７  入荷部
８  見本仕分部
９  見本棚
１１  見本展示部
１３  保管棚
１５  保管部
１７ａ〜１７ｄ  競り台
１９  競り部
２１  出荷用シュート
２３  出荷部
２５  搬送手段
２５ａ  空ケース供給ライン
２５ｂ  保管品搬送ライン
２５ｃ  見本品搬送ライン
２５ｄ  競り部搬送ライン
２５ｅ  復帰搬送ライン
２５ｆ  出荷搬送ライン
２５ｇ  仕分けソータ
２５ｈ  引き込み搬送ライン
２９  ＩＤケース
３１  端末装置
３２ａ〜３２ｌ  端末装置
３３  スキャナ
３４ａ〜３４ｇ  制御コンピュータ
３６  読取装置
３８  物流管理コンピュータ
３９  物流サーバ・コンピュータ
４４  接車指示チケット
４６  入荷ラベル
４８  レーン
【図１】
0003796288.tif 000002
【図２】
0003796288.tif 000003
【図３】
0003796288.tif 000004
【図４】
0003796288.tif 000005
【図５】
0003796288.tif 000006
【図６】
0003796288.tif 000007
【図７】
0003796288.tif 000008
【図８】
0003796288.tif 000009
【図９】
0003796288.tif 000010